(57)【特許請求の範囲】
【請求項１】
冷蔵庫本体に冷蔵室、野菜室、冷凍室を設け、前記野菜室は前記冷蔵室と前記冷凍室との間に配置するとともに、前記冷蔵室には給水タンク、前記冷凍室には製氷皿を設け、前記給水タンクからの給水パイプを前記野菜室に通しその下方の前記冷凍室の製氷皿に開口させ、かつ前記野菜室の背面には前記冷蔵庫本体内箱との間に冷気通路を構成する背面壁体を設けるとともに、前記背面壁体に結露防止用ヒータ等の電装部品を設け、更に前記給水パイプには凍結防止用ヒータ等の電装部品を設けてこれをカバーで覆った冷蔵庫であって、前記給水パイプの電装部品からのリード線及び前記背面壁体の電装部品からのリード線は前記冷蔵庫本体側の本体リード線と別々に接続するとともに、前記給水パイプの電装部品からの前記リード線と前記本体リード線を収納する収納部、及び前記背面壁体の前記電装部品からの前記リード線と前記本体リード線を収納する前記収納部はそれぞれ別々に設け、かつ、前記背面壁体は前記電装部品のリード線等を収納する収納部を設け、更に前記背面壁体は給水パイプのカバーとは別個に着脱自在とし、給水パイプは背面壁体の収納部を覆う化粧カバーによって一体に覆った冷蔵庫。
【請求項２】
前記背面壁体の収納部は冷気通路の側方となる一側片部分に設けるとともに、前記給水パイプは前記背面壁体の収納部側の空間に配置した請求項１記載の冷蔵庫。
【請求項３】
前記背面壁体からのリード線と接続する冷蔵庫本体からの本体リード線及びその接続部を収納する仮収納部を前記野菜室と前記冷蔵室との間を仕切る仕切板に設けた請求項１または２記載の冷蔵庫。
【発明の詳細な説明】
【技術分野】
【０００１】
本発明は冷蔵庫に関するものである。
【背景技術】
【０００２】
一般に家庭用冷蔵庫は、冷蔵庫本体内に複数の貯蔵室、例えば、冷蔵室、野菜室、冷凍室等を設けて構成してあり、その中には前記野菜室を冷蔵室と冷凍室との間に設け、真ん中野菜室冷蔵庫と称して野菜を多用するユーザに重宝されているものがある。そして、上記冷蔵室、野菜室、冷凍室は冷蔵庫本体の背面に設けてある冷気通路を介して冷却室から冷気を供給し、冷却するようになっている。（例えば、特許文献１参照）。
【０００３】
図１５は特許文献１記載の冷蔵庫を示し、この冷蔵庫はその冷蔵庫本体１００に冷蔵室１０１、野菜室１０２、冷凍室１０３を備え、前記野菜室１０２が冷蔵室１０１と冷凍室１０３との間に設けてあるとともに、前記冷蔵庫本体１００の背面には冷却室１０４からの冷気を前記冷蔵室１０１、野菜室１０２、冷凍室１０３に供給する冷気通路１０５が設けてある。
【０００４】
これにより、冷却室１０４から冷気通路１０５を介して冷蔵室１０１、野菜室１０２、冷凍室１０３に冷気を循環させ、内部の食品を冷却保存する。
【０００５】
また、上記のような冷蔵庫の中には冷凍室に製氷皿を配置するとともに冷蔵室には給水タンクを設けて、当該給水タンクから給水パイプを介して前記製氷皿に水を供給し自動的に製氷するものがある（例えば、特許文献２参照）。
【０００６】
図１６は上記特許文献２記載の冷蔵庫を示し、２０１は冷蔵室、２０２は野菜室、２０３は冷凍室を示し、冷蔵室２０１と野菜室２０２との間を仕切る仕切板２０４に給水タンク２０５が設けてあって、この給水タンク２０５から延びる給水パイプ２０６が野菜室２０２の内壁面に沿って冷凍室２０３まで引き出され、その先端が冷凍室２０３の上部に配置されている製氷装置の製氷皿２０７に臨ませて開口させてある。なお、上記給水パイプ２０６はカバー２０８によって覆ってある。
【０００７】
これにより、給水タンク２０５内の水が給水パイプ２０６を介して冷却室２０３内の製氷皿２０７に供給され、冷凍室２０３の冷凍低温によって凍結し氷が自動的に作られることになる。
【先行技術文献】
【特許文献】
【０００８】
【特許文献１】特開平９−１１３１０９号公報
【特許文献２】特開２００８−１５１３８９号公報
【発明の概要】
【発明が解決しようとする課題】
【０００９】
上記従来の冷蔵庫のうち前記特許文献１に記載されている冷蔵庫は、野菜室１０２が冷蔵庫本体１００の背面に設けた冷気通路１０５内の冷気からの冷輻射によって過度に冷却され、その内面に結露が生じて野菜を劣化させる場合がある。そのため、この種の冷蔵庫の多くは野菜室１０２の背面壁体の壁厚を厚くして対応しているが、十分に対応できているとは言い難い面があった。
【００１０】
そこで、上記野菜室１０２の背面壁体に結露防止用のヒータを埋設し、野菜室１０２の温度が過度に低くなると前記結露防止用ヒータに通電し、結露発生を確実に抑制するように構成することが考えられる。
【００１１】
この場合、前記結露防止用ヒータの修理・交換等のメンテナンスが可能なように背面壁体を野菜室１０２から着脱自在としておく必要があり、結露防止用ヒータのリード線と冷蔵庫本体の本体リード線も同様に着脱自在なるように構成しておく必要がある。
【００１２】
一方、前記特許文献２に記載されている冷蔵庫の様に製氷装置を備えている冷蔵庫にあっては、給水パイプ２０６の先端部分に凍結防止用ヒータ２０９が設けてあって、この凍結防止用ヒータ２０９のリード線が冷蔵庫本体の本体リード線に着脱自在としてある。
【００１３】
そのため、この種の製氷装置を有する冷蔵庫の背面壁体に結露防止用ヒータを設けた場合には、この結露防止用ヒータからのリード線の接続と前記給水パイプ２０６の凍結防止用ヒータ２０９からのリード線の接続をそれぞれが互いに影響を受けない構成としておかなければ、凍結防止用ヒータ２０９或いは結露防止用ヒータそれぞれの交換等のサービス性が低下することになる。
【００１４】
本発明はこのような点に鑑みてなしたもので、製氷装置を備え背面壁体に結露防止ヒータ等の電装部品を装備した冷蔵庫であっても、それら各電装部品のメンテナンス、特に背面壁体に設けた電装部品のリード線接続やメンテナンスが容易に行える冷蔵庫の提供を目的としたものである。
【課題を解決するための手段】
【００１５】
本発明は、上記目的を達成するため、冷蔵庫本体に冷蔵室、野菜室、冷凍室を設け、前記野菜室は前記冷蔵室と前記冷凍室との間に配置するとともに、前記冷蔵室には給水タンク、前記冷凍室には製氷皿を設け、前記給水タンクからの給水パイプを前記野菜室に通しその下方の前記冷凍室の製氷皿に開口させ、かつ前記野菜室の背面には前記冷蔵庫本体内箱との間に冷気通路を構成する背面壁体を設けるとともに、前記背面壁体に結露防止用ヒータ等の電装部品を設け、更に前記給水パイプには凍結防止用ヒータ等の電装部品を設けてこれをカバーで覆った冷蔵庫であって、前記給水パイプの電装部品からのリード線及び前記背面壁体の電装部品からのリード線は前記冷蔵庫本体側の本体リード線と別々に接続するとともに、前記給水パイプの電装部品からの前記リード線と前記本体リード線を収納する収納部、及び前記背面壁体の前記電装部品からの前記リード線と前記本体リード線を収納する前記収納部はそれぞれ別々に設け、かつ、前記背面壁体は前記電装部品のリード線等を収納する収納部を設け、更に前記背面壁体は給水パイプのカバーとは別個に着脱自在とし、給水パイプは背面壁体の収納部を覆う化粧カバーによって一体に覆った構成としてある。
【００１６】
これにより、製氷装置を備えた冷蔵庫の野菜室背面壁体に結露防止用ヒータ等の電装部品を設けたものであっても、前記製氷装置の給水パイプに設けた凍結防止用ヒータ等の電装部品からのリード線及びその本体リード線の収納部と、野菜室背面壁体に設けた結露防止用ヒータ等の電装部品からのリード線及びその本体リード線の収納部とが別々であって、前記背面壁体が給水パイプのカバーとは関係なく着脱できるので、野菜室背面壁体側の電装部品の交換及びリード線着脱或いは給水パイプ側の電装部品の交換及びリード線着脱がそれぞれ単独で可能となる。したがって、給水パイプ側電装部品及び野菜室背面壁体側電装部品それぞれのメンテナンスが何ら制約を受けることなく、例えば給水パイプ側のカバーを外さないと背面壁体を外せない等の制約を受けることなく容易に行えるようになる。しかも野菜室背面壁体の電装部品を結露防止用ヒータとすることによって野菜室内での結露発生を確実に防止できるようにもなる。
【発明の効果】
【００１７】
本発明は、上記構成により、製氷装置を備え背面壁体に結露防止ヒータ等の電装部品を装備した冷蔵庫であっても、それら各電装部品のメンテナンス、特に背面壁体に設けた電装部品のリード線接続や電装部品交換等のメンテナンスが容易に行える冷蔵庫を提供することができる。
【図面の簡単な説明】
【００１８】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の野菜室を示す概略断面図
【図５】同実施の形態１における冷蔵庫の製氷装置組み込み部分を示す断面図
【図６】同実施の形態１における冷蔵庫の野菜室を中心として示す正面図
【図７】同実施の形態１における冷蔵庫の野菜室と冷凍室の主要な構成部品を示す分解斜視図
【図８】同実施の形態１における冷蔵庫の野菜室の背面壁体の分解斜視図
【図９】（ａ）〜（ｄ）同実施の形態１における冷蔵庫の野菜室を構成する主要部品の組み立てを説明する説明図
【図１０】同実施の形態１における冷蔵庫の野菜室背面壁体を示す正面図
【図１１】（ａ）〜（ｃ）同実施の形態１における冷蔵庫の野菜室背面壁体でのリード線処理を説明する正面図
【図１２】同実施の形態１における冷蔵庫の製氷装置を構成する給水パイプの要部拡大斜視図
【図１３】（ａ）〜（ｄ）同実施の形態１における冷蔵庫の給水パイプのリード線処理を説明する正面図
【図１４】（ａ）〜（ｃ）同実施の形態１における冷蔵庫の給水パイプ部分の仮収納部のリード線処理を説明する斜視図
【図１５】従来の冷蔵庫を示す縦断面図
【図１６】従来の他の冷蔵庫の製氷装置組み込み部分を示す断面図
【発明を実施するための形態】
【００１９】
第１の発明は、冷蔵庫本体に冷蔵室、野菜室、冷凍室を設け、前記野菜室は前記冷蔵室と前記冷凍室との間に配置するとともに、前記冷蔵室には給水タンク、前記冷凍室には製氷皿を設け、前記給水タンクからの給水パイプを前記野菜室に通しその下方の前記冷凍室の製氷皿に開口させ、かつ前記野菜室の背面には前記冷蔵庫本体内箱との間に冷気通路を構成する背面壁体を設けるとともに、前記背面壁体に結露防止用ヒータ等の電装部品を設け、更に前記給水パイプには凍結防止用ヒータ等の電装部品を設けてこれをカバーで覆った冷蔵庫であって、前記給水パイプの電装部品からのリード線及び前記背面壁体の電装部品からのリード線は前記冷蔵庫本体側の本体リード線と別々に接続するとともに、前記給水パイプの電装部品からの前記リード線と前記本体リード線を収納する収納部、及び前記背面壁体の前記電装部品からの前記リード線と前記本体リード線を収納する前記収納部はそれぞれ別々に設け、かつ、前記背面壁体は前記電装部品のリード線等を収納する収納部を設け、更に前記背面壁体は給水パイプのカバーとは別個に着脱自在とし、給水パイプは背面壁体の収納部を覆う化粧カバーによって一体に覆った構成としてある。
【００２０】
これにより、製氷装置を備えた冷蔵庫の野菜室背面壁体に結露防止用ヒータ等の電装部品を設けたものであっても、前記製氷装置の給水パイプに設けた凍結防止用ヒータ等の電装部品からのリード線及びその本体リード線の収納部と、野菜室背面壁体に設けた結露防止用ヒータ等の電装部品からのリード線及びその本体リード線の収納部とが別々であって、前記背面壁体が給水パイプのカバーとは関係なく着脱できるので、野菜室背面壁体側の電装部品の交換及びリード線着脱或いは給水パイプ側の電装部品の交換及びリード線着脱がそれぞれ単独で可能となる。したがって、給水パイプ側電装部品及び野菜室背面壁体側電装部品それぞれのメンテナンスが何ら制約を受けることなく、例えば給水パイプ側のカバーを外さないと背面壁体を外せない等の制約を受けることなく容易に行えるようになる。しかも野菜室背面壁体の電装部品を結露防止用ヒータとすることによって野菜室内での結露発生を確実に防止でき、また背面壁体側のリード線収納部分を覆うカバーを利用して給水パイプ及びそのカバーを覆うことができるので、給水パイプ全体を覆うカバー部材を別途必要とせず、構成の合理化によるコストダウンが可能になると同時に、給水パイプ及びそのカバー自体もその全体を覆って人目につかないようにしその品位を向上させることができる。
【００２１】
第２の発明は、第１の発明において、前記背面壁体の収納部は冷気通路の側方となる一側片部分に設けるとともに、給水パイプは前記背面壁体の収納部側の空間に配置した構成としてある。
【００２２】
これにより、背面壁体がその収納部を設けてある部分で壁厚が薄くなってもその背面には冷気通路が存在しないので冷気通路からの冷輻射による結露問題を抑制でき、しかも壁体収納部を設けた野菜室の奥まった位置の空間を利用して給水パイプを設けることができるので、給水パイプが背面壁体より前方に位置して野菜室内容積を狭めるのを防止することもできる。
【００２５】
第３の発明は、第１〜第２の発明において、前記背面壁体からのリード線と接続する冷蔵庫本体からの本体リード線及びその接続部を収納する仮収納部を野菜室と冷蔵室との間を仕切る仕切板に設けた構成としてある。
【００２６】
これにより、冷蔵庫本体内箱に野菜室と冷蔵室との間を仕切る仕切板を治具で冷蔵庫本体内箱側に押しつけて発泡断熱材を充填発泡させる際、冷蔵庫本体側から引き出した本体リード線を仕切板の仮収納部内に仮収納しておくことができるので、治具セット時に本体リード線を仮保持する仮保持部材を別途準備する必要がなくなって作業性が向上するとともに、部品削減によるコストダウンが可能となり、しかも、治具セット時に本体リード線を当該治具で圧接してこれを傷つけたり切断したりするのを防止でき、品質を安定化させることもできる。
【００２７】
以下、本発明の実施の形態について、図面を参照しながら説明する。尚、この実施の形態によって本発明が限定されるものではない。
【００２８】
（実施の形態１）
図１〜図１４は本発明の実施の形態１を示すもので、まず、冷蔵庫の全体構成について説明する。
【００２９】
図１〜図６において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００３０】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３１】
また、冷蔵庫本体１の背面には冷気を生成する冷却室１６と冷却室１６からの冷気を前記冷蔵室７、野菜室８、冷凍室９に供給循環させる冷気通路１７が設けられている。前記冷却室１６は冷凍室９の背面から野菜室８の下部背面に渡って形成されており、野菜室８との間は発泡スチロール等によって断熱性を持たせた背面壁体１８によって断熱仕切りしてある。
【００３２】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３３】
ここで、前記した野菜室８の背面壁体１８は、図４や図８に示すように冷蔵庫本体１の内箱３との間に冷却室１６や冷気通路１７を構成する例えば発泡スチロール製の断熱壁材２１とその表面に装着する壁体カバー２２との間に結露防止用ヒータ２３を組み込んで構成してあり、野菜室８背面の冷却室１６からの冷輻射により過冷却されて結露が発生するのを防止する構造になっている。
【００３４】
上記野菜室８の背面壁体１８は図１０に示すようにその壁体カバー２２の一側端片部２４に収納部２５（以下、壁体収納部と称す）が一体形成してあり、この壁体収納部２５に前記結露防止用ヒータ２３からのリード線２６（以下、結露防止ヒータ用リード線と称す）を収納保持させてある。そして、上記結露防止用ヒータ２３からの結露防止ヒータ用リード線２６は冷蔵庫本体１の適所、この実施の形態では冷蔵室７と野菜室８との間の仕切板５の下面後コーナ部より引き出した本体リード線２７（以下、壁体用本体リード線と称す）と接続し、それらのリード線２６，２７とともにその接続部となるコネクタ２８（以下、壁体用コネクタと称す）を壁体収納部２５内に収納保持させてある。
【００３５】
すなわち、前記野菜室８と冷蔵室７との間の仕切板５にはその内部に前記結露防止用ヒータ２３からの結露防止ヒータ用リード線２６を接続するための壁体用本体リード線２７が組み込んであって、前記背面壁体１８の一側端片部２４の上方となる後角部分から引き出してあり、この壁体用本体リード線２７に前記結露防止用ヒータ２３からの結露防止ヒータ用リード線２６が接続してあり、これら両リード線２６，２７とともにそのコネクタ２８が壁体収納部２５内に収納保持させてある。
【００３６】
ここで、前記仕切板５の壁体用本体リード線２７の引出部となる部分、すなわち壁体収納部２５の上方部分には同図１０に示すように壁体仮収納部２９が形成してあり、図１１の（ａ）で示すように上記壁体用本体リード線２７を生産過程のひととき収納保持させておく構成としてある。
【００３７】
そして前記した野菜室８の背面壁体１８は前記結露防止用ヒータ２３の交換等のメンテナンスが可能なように冷蔵庫本体１の内箱３にビス等で着脱自在に装着してある。
【００３８】
なお、この実施の形態の冷蔵庫では上記野菜室８内の過冷や温度ムラによる結露をより
確実に防止するために野菜室８の冷気取入口（図示せず）に野菜室ファン３１（図２、図６、図８参照）が設けてあり、野菜室内の冷気を拡散循環させるなどして野菜室内の過冷却や温度ムラによる結露発生を抑制し、野菜を劣化させることなく良好に保存できるようになっている。そしてこの野菜室ファン３１は図８に示すように野菜室８の背面壁体１８に組み込んであり、図示はしないもののそのリード線も前記結露防止用ヒータ２３の結露防止ヒータ用リード線２６と同様に背面壁体１８から引出して壁体用本体リード線２７と接続し壁体収納部２５に収納するようになっている。
【００３９】
次にこの冷蔵庫には上記冷蔵室７から冷凍室９にかけて製氷装置が組み込んであるので、この製氷装置について、図５〜図１４を用い説明する。
【００４０】
この冷蔵庫の製氷装置は、図５に示すように、その給水タンク３２は冷蔵室７内の仕切板５上に載置し、その給水タンク３２からの給水パイプ３３を仕切板５から野菜室８を貫通させて、冷凍室９の上部に配置した製氷皿３４に開口させてある。
【００４１】
上記給水パイプ３３は、図１０に示すように前記野菜室８の背面壁体１８の壁体収納部２５を設けた一側端辺部分側に位置する様に貫設してあり、図１３（ａ）に示すように、その先端開口部分に凍結防止用ヒータ３５が装備してある。そして、図１２等に示すように上記給水パイプ３３の凍結防止用ヒータ３５とそのリード線３６（以下、凍結防止ヒータ用リード線と称す）の引出部分を電気絶縁性樹脂で形成したカバー３７によって覆い、その凍結防止ヒータ用リード線３６は図１３（ｃ）に示すように前記野菜室８と冷凍室９との間を仕切る仕切板６の後角部より引き出した本体リード線３９（以下、カバー用本体リード線と称す）と接続してある。
【００４２】
上記カバー３７は図１２に示すようにその奥端部分に給水パイプ３３に沿って縦方向に立ち上がる上面開口略箱状の収納部３８が一体形成してあり、この収納部３８内に前記凍結防止用ヒータ３５からの凍結防止ヒータ用リード線３６及び前記カバー用本体リード線３９とこれら両リード線３６，３９の接続部となるコネクタ４０（以下、カバー用リード線と称す）が収納してある。
【００４３】
ここで、前記仕切板６のカバー用本体リード線３９の引出部となる後角部上面にも図１４に示すように仮収納部４１が立設形成してあり、上記仕切板６から引き出したカバー用本体リード線３９とそのコネクタ４０を生産過程のひととき収納保持させておく構成としてある。
【００４４】
そして、上記カバー３７は冷蔵庫本体１の仕切板６にビス等によって前記背面壁体１８とは独立して着脱自在なるように装着し、給水パイプ３３先端部の点検や凍結防止用ヒータ３５の交換等のメンテナンスが可能なようにしてある。
【００４５】
さらに、上記給水パイプ３３のカバー３７の収納部３８及び前記背面壁体１８の壁体収納部２５の両方の前方には、これらを覆うように化粧カバー４２が背面壁体１８の一側端片部にビス止め等によって着脱自在に装着してある。
【００４６】
なお、この実施の形態では、前記給水パイプ３３の先端部分に凍結防止用ヒータ３５とともに給水パイプ先端開口部分の温度を検出して前記凍結防止用ヒータ３５の通電を制御するためのサーミスタ等からなる凍結防止温度センサ（図示せず）も装備してある。そしてそのリード線も前記凍結防止用ヒータ３５の凍結防止ヒータ用リード線３６と同様にしてカバー用本体リード線３９と接続し収納部３８に収納するようになっている。
【００４７】
以上のように構成された冷蔵庫について、以下その動作、作用を説明する。
【００４８】
まず、この冷蔵庫の前記給水パイプ３３まわり及び背面壁体１８まわりの組立について説明しておくと、この冷蔵庫の冷蔵庫本体１は内箱３に仕切板５，６を挿入し、この各仕切板５，６にあらかじめ組み込まれている壁体及びカバー用の本体リード線２７，３９を冷蔵庫本体内箱３からのリード線と配線接続しておいた後、内箱３の外周を外箱２で覆いこれら両者の間に発泡ウレタン等の発泡断熱材４を充填発泡させて形成する。
【００４９】
次に図９（ａ）に示すように野菜室８の一側奥部に給水パイプ３３とそのカバー３７をセットし、同図（ｂ）で示すように冷却室（図示せず）の前方に位置する如く冷却ファン２０を装着する。その後、同図（ｃ）で示すように冷却室からの冷気通路１７を覆うように断熱壁材２１と壁体カバー２２の間に結露防止用ヒータ２３を挟み込んで予め組み立てた背面壁体１８を装着し、背面壁体１８の取り付けを終える。次に、同図（ｄ）に示すように前記背面壁体１８の一側端片部の壁体収納部２５および給水パイプ３３とそのカバー３７を覆うように化粧カバー４２を装着して給水パイプ３３まわり及び背面壁体１８まわりの組立を完了する。
その際、すなわち、前記仕切板５，６を冶具によって冷蔵庫本体内箱３にセットするとき、冷蔵室７と野菜室８とを仕切る仕切板５に組み込まれている壁体用本体リード線２７は、図１０、図１１（ａ）に示すように当該仕切板５の後角部下面に設けた壁体仮収納部２９に丸めて仮収納しておくことができる。同様に、野菜室８と冷凍室９との間を仕切る仕切板６に組み込まれているカバー用本体リード線３９も図１４（ｂ）に示すように当該仕切板６の後角部に設けた仮収納部４１に丸めて仮収納しておくことができる。
【００５０】
これにより、前記冷蔵庫本体１の発泡成形時、各仕切板５，６を治具（図示せず）によって内箱３の内面に押しつけ固定する際、上記各壁体及びカバー用の本体リード線２７，３９が治具と本体内箱３との間に挟まれないように保持する保持部材を別途準備する必要がなくなる。或いはまた、壁体及びカバー用の本体リード線２７，３９を手作業等によって保持して壁体及カバー用の本体リード線２７，３９が挟まれないようにしつつ治具を挿入するなどの手間を掛けなくてもよくなる。したがって、保持部材を別途必要としない分だけ部品点数を削減できると同時に、壁体及カバー用の本体リード線２７，３９を手作業等で保持する手間が不要となってその分作業性も向上し、安価に提供することができる。しかも、治具によって壁体及カバー用の本体リード線２７，３９を内箱３との間に挟み込んでこれを傷つけたり切断してしまうようなことも未然に防止でき、歩留まりや品質が向上する。
【００５１】
上記のようにして冷蔵庫本体１の組立てを終えると、次に背面壁体１８や給水パイプ３３のリード線の接続処理を行う。
【００５２】
まず、給水パイプ３３のリード線処理を給水タンク３２のセットから順に説明する。
【００５３】
製氷装置はまず給水タンク３２を冷蔵室７の底面となる仕切板５の一側上部のタンク受け部（図示せず）に載置し、その給水パイプ３３を野菜室８内に垂設する。野菜室８内に垂設した給水パイプ３３の先端部分は図１３の（ａ）に示すように野菜室８の底面となる仕切板６の一側上部に設けたパイプ装着部４３に装着し、その先端開口を冷凍室９上部に配置した製氷皿４４に臨ませる。
【００５４】
次に、上記野菜室底面となる仕切板６の仮収納部４１に仮収納していたカバー用本体リード線を同図（ｂ）に示すように仮収納部４１から引き出す。そして、同図（ｃ）に示すように前記給水パイプ３３の凍結防止用ヒータ３５およびその凍結防止ヒータ用リード線３６の引出部分を覆うようにカバー３７を配置して仕切板６にビスにて装着する。これに
よって上記カバー３７に設けた収納部３８が給水パイプ３３の立ち上り部分に沿ってこれを覆うような形で位置する。
【００５５】
この状態で前記給水パイプ３３の凍結防止用ヒータ３５からの凍結防止ヒータ用リード線３６と仮収納部４１から引き出したカバー用本体リード線３９とを接続する。そして、前記接続したカバー用本体リード線３９と凍結防止ヒータ用リード線３６およびその接続部となるカバー用コネクタ４０を図１３の（ｄ）に示すように前記収納部３８に押し込み、収納する。
【００５６】
これにより、製氷装置のセットとそのリード線処理を終えることになる。
【００５７】
次に、背面壁体１８のセットとそのリード線処理を説明する。
【００５８】
背面壁体１８は図１０、図１１の（ａ）に示すような状態、すなわち結露防止用ヒータ２３の結露防止ヒータ用リード線２６を一側端片部２４の壁体収納部２５に丸め込んで収納した状態で冷蔵庫本体内箱３の内面にビスにて装着する。次に同図１１（ｂ）に示すように上記壁体収納部２５上方に位置する仕切板５下面の壁体仮収納部２９に仮収納されている壁体用本体リード線２７を壁体仮収納部２９から引き出し、前記結露防止用ヒータ２３の結露防止ヒータ用リード線２６と接続してその壁体用コネクタ２８とともに前記両リード線２６，２７を背面壁体１８の壁体収納部２５に収納保持させる。
【００５９】
これにより、背面壁体１８のセットとそのリード線処理を終えることになる。
【００６０】
そして、この状態でさらに同図（ｃ）に示すように、前記給水パイプ３３のリード線接続処理部及び背面壁体のリード線処理部の前方を覆う如く化粧カバー４２を背面壁体１８に装着して、一連の組立作業を終えることになる。
【００６１】
以上のようにして構成されたこの冷蔵庫は、製氷装置の給水パイプ３３に設けた凍結防止用ヒータ３５からの凍結防止ヒータ用リード線３６及びそのカバー用本体リード線３９の収納部３８と、野菜室８の背面壁体１８に設けた結露防止用ヒータ２３からの結露防止ヒータ用リード線２６及びその壁体用本体リード線２７の壁体収納部２５とが別々であって、前記背面壁体１８が給水パイプ３３のカバー３７とは関係なく着脱できるので、野菜室８の背面壁体１８側の結露防止用ヒータ２３の交換及びその結露防止ヒータ用リード線２６の着脱或いは給水パイプ３３側の凍結防止用ヒータ３５の交換及びその凍結防止ヒータ用リード線３６の着脱がそれぞれ単独で可能となる。
【００６２】
すなわち、野菜室８内に設けた給水パイプ３３のカバー３７及び野菜室８の背面壁体１８は冷蔵庫本体１に対し別々に着脱することができるから、例えば背面壁体１８を外さないとカバー３７を外せない、あるいは逆にカバー３７を外さないと背面壁体１８が外せない、等の制約を受けることがなくなって、カバー３７及び背面壁体１８の着脱が容易となり、メンテナンス性が向上する。
【００６３】
また、野菜室８はその背面壁体１８に結露防止用ヒータ２３を設けていることによって、その背面の冷却室１６や冷気通路１７からの冷輻射による結露発生を確実に防止することができる。したがって野菜を結露水によって劣化させることなく良好に冷却保存でき、冷蔵庫の信頼性を向上させることができる。
【００６４】
また、前記結露防止用ヒータ２３の結露防止ヒータ用リード線２６等を収納する壁体収納部２５は背面壁体１８の背面に位置する冷気通路１７の側方に位置する如く設けてあるから、壁体収納部２５を設けて当該部分の壁厚が薄くなってもその背面には冷気通路１７
が存在しないので冷輻射問題が生じることもなく、しかも壁体収納部２５を設けて壁厚が薄くなるのは背面壁体１８だけであって冷蔵庫本体１の壁厚は何ら関係ないのでその断熱性及び内容積に悪影響を与えることもない。
【００６５】
しかも、前記給水パイプ３３は背面壁体１８の側方に設けた壁体収納部２５側に配置しているから、野菜室８の背面壁体１８に設けた奥まった位置の壁体収納部２５の空間を利用して当該空間内にとどめることができ、給水パイプ３３が背面壁体１８より前方に位置して野菜室内容積を狭めるのを防止できる。
【００６６】
また、前記背面壁体１８に設けた壁体収納部２５のリード線収納部分と、前記給水パイプ３３及びそのカバー３７とそれに設けた収納部３８のリード線収納部分と、は、化粧カバー４２で一体に覆っているので、背面壁体１８側の壁体収納２５が前方に面して露出していてもこれを覆うカバーを別途必要とせず、構成の合理化による更なるコストダウンが達成できる。また、これと同時に、給水パイプ３３及びそのカバー３７自体もその全体を覆って人目につかないようにすることができ、品位を向上させることができる。しかも、壁体収納部２５を覆う化粧カバー４２を外すことによって背面壁体側の結露防止ヒータ用リード線２６を冷蔵庫本体側の壁体用本体リード線２７に対し直に着脱でき、その結果背面壁体１８の結露防止用ヒータ２３の交換等のメンテナンスも容易に行えるようになる。
【００６７】
更に、この実施の形態では、前記背面壁体１８にリード線等を収納する壁体収納部２５を設けているので、背面壁体１８に組み込んである結露防止用ヒータ２３からの結露防止ヒータ用リード線２６と冷蔵庫本体１からの壁体用本体リード線２７及びこれらの接続部となる壁体用コネクタ２８等の収納部を冷蔵庫本体内箱３の内面壁等に別途設ける必要がなく、背面壁体１８に設けた壁体収納部２５を利用して合理的に収納処理することができる。
【００６８】
加えて、上記背面壁体１８の壁体収納部２５上方に位置する仕切板６には壁体仮収納部２９を設けて、冷蔵庫本体側から引き出した結露防止用ヒータ２３用の壁体用本体リード線２７及びその壁体用コネクタ２８を仮収納可能な構成としているから、既述したように冷蔵庫本体内箱３に仕切板５をセットし治具で冷蔵庫本体内箱側に押しつけて発泡断熱材４を充填発泡させる際、前記壁体用本体リード線２７を仕切板５の壁体仮収納部２９内に収納しておくことができる。したがって、治具セット時に壁体用本体リード線２７を仮保持する仮保持部材を別途準備する必要がなくなって作業性が向上するとともに、部品削減によるコストダウンも可能となり、しかも、治具セット時に当該治具に圧接されて壁体用本体リード線２７が傷ついたり切断したりするのを防止でき、品質を安定させることもできる。
【００６９】
なお、この実施の形態では前記野菜室８と冷凍室９との間を仕切る仕切板６にも仮収納部４１を設けて、冷蔵庫本体側から引き出した給水パイプ３３用のカバー用本体リード線及びそのカバー用コネクタ４０を仮収納する構成としているから、背面壁体１８の壁体仮収納部２９の場合と同様、冷蔵庫本体内箱３に仕切板６をセットし治具で冷蔵庫本体内箱側に押しつけて発泡断熱材４を充填発泡させる際、前記カバー用本体リード線を仕切板６の仮収納部４１内に収納しておくことができる。したがって、治具セット時にカバー用本体リード線を仮保持する仮保持部材を別途準備する必要がなくなって作業性が向上するとともに、部品削減によるコストダウンも可能となり、しかも、治具セット時に当該治具に圧接されてカバー用本体リード線が傷ついたり切断したりするのを防止でき、品質を安定させることもできる。
【００７０】
また、この実施の形態では、前記製氷装置を構成する給水パイプ３３のカバー３７にもリード線等を収納する収納部３８を設けているので、このカバー３７によって給水パイプ
３３及び凍結防止用ヒータ３５の凍結防止ヒータ用リード線３６やそのカバー用コネクタ４０を合理的に収納処理することができる。したがって前記壁体収納部２５の場合と同様、冷蔵庫本体１側に凍結防止ヒータ用リード線３６やカバー用本体リード線３９及びこれらの接続部となるカバー用コネクタ４０等の収納部を別途設ける必要がない。
【００７１】
また、上記カバー３７を取り外してカバー３７を手前側に取り出せば、凍結防止用ヒータ３５の凍結防止ヒータ用リード線３６と冷蔵庫本体側のカバー用本体リード線との接続等を手前側の比較的広い場所まで引き出して不自由なく行うことができ、結果的に給水パイプ３３や凍結防止用ヒータ３５のメンテナンスも容易に行えるようになる。
【００７２】
更に、前記凍結防止ヒータ用リード線３６等の収納部３８はカバー３７に一体形成してあるから、収納部３８とカバー３７とを別部品で構成するような場合に比べ部品点数や組み立て工数を削減でき、安価に提供できる。しかも上記カバー３７を外すことによって前記した如く凍結防止用ヒータ３５の凍結防止ヒータ用リード線３６と冷蔵庫本体側のカバー用本体リード線３９との接続等を容易に行えるようになり、メンテナンス性が向上する。
【００７３】
以上、本発明の実施の形態を説明してきたが、上記実施の形態で説明した構成は本発明を実施する一例として示したものであり、本発明の目的を達成する範囲で種々変更可能なことは言うまでもない。
【産業上の利用可能性】
【００７４】
本発明は、製氷装置を備え背面壁体に結露防止ヒータ等の電装部品を装備した冷蔵庫であっても、それら各電装部品のメンテナンス、特に背面壁体に設けた電装部品のリード線接続や電装部品交換等のメンテナンスが容易に行える冷蔵庫を提供することができる。よって、家庭用はもちろん業務用冷蔵庫やショーケース等多くの用途に幅広く適用することができる。
【符号の説明】
【００７５】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  断熱壁材
２２  壁体カバー
２３  結露防止用ヒータ
２４  一側端片部
２５  収納部（壁体収納部）
２６  リード線（結露防止ヒータ用リード線）
２７  本体リード線（壁体用本体リード線）
２８  コネクタ（壁体用コネクタ）
２９  壁体仮収納部
３１  野菜室ファン
３２  給水タンク
３３  給水パイプ
３４  製氷皿
３５  凍結防止用ヒータ
３６  リード線（凍結防止ヒータ用リード線）
３７  カバー
３８  収納部
３９  本体リード線（カバー用本体リード線）
４０  コネクタ（カバー用コネクタ）
４１  仮収納部
４２  化粧カバー
４３  パイプ装着部
４４  製氷皿
【図１】
0006439136.tif 000002
【図２】
0006439136.tif 000003
【図３】
0006439136.tif 000004
【図４】
0006439136.tif 000005
【図５】
0006439136.tif 000006
【図６】
0006439136.tif 000007
【図７】
0006439136.tif 000008
【図８】
0006439136.tif 000009
【図９】
0006439136.tif 000010
【図１０】
0006439136.tif 000011
【図１１】
0006439136.tif 000012
【図１２】
0006439136.tif 000013
【図１３】
0006439136.tif 000014
【図１４】
0006439136.tif 000015
【図１５】
0006439136.tif 000016
【図１６】
0006439136.tif 000017